(57)【要約】  本発明の目的は、体液が流れる脈管の中へ活性物質を放出するためのインプラントを提供することである。この目的は、体液が流れる脈管中へ活性物質を放出する独創的インプラントによって達成される。該インプラントは、放出される活性物質の担体として生分解性材料から成る基体を含む。体液は、該基体の周囲の内側及び／または外側を流れる。
2007520292.tif 000002
【特許請求の範囲】
【請求項１】
放出される活性物質（２２）の基材（ｓｕｂｓｔｒａｔｅ）として生分解性材料から構成され、体液がその周囲の内側及び／又は外側を流れる基体（１２，３２，４２）を含む、体液がその中を流れる脈管中に活性物質（２２）を放出するためのインプラント（１０，３０，４０）。
【請求項２】
前記基体（１２，３２）が、少なくとも一定の領域において生分解性マグネシウム、鉄又はタングステン合金からなることを特徴とする請求項１に記載のインプラント。
【請求項３】
前記マグネシウム合金が、タイプＷＥの合金であることを特徴とする請求項２に記載のインプラント。
【請求項４】
前記マグネシウム合金が、タイプＷＥ４３の合金であることを特徴とする請求項３に記載のインプラント。
【請求項５】
前記マグネシウム合金が、１及び３０重量％のリチウムを含有することを特徴とする請求項２に記載のインプラント。
【請求項６】
前記マグネシウム合金が、０．１から１０重量％のアルミニウムを含有することを特徴とする請求項２に記載のインプラント。
【請求項７】
前記マグネシウム合金が、０．０１から２重量％のジルコニウムを含有することを特徴とする請求項２に記載のインプラント。
【請求項８】
前記マグネシウム合金が、希土類金属、イットリウム、リチウム、アルミニウム及びジルコニウムの群からの一つ又は複数の合金成分を含有することを特徴とする請求項２に記載のインプラント。
【請求項９】
前記インプラント（１０，３０）の基体（１２，３２）が、第１の非拡大状態及び第２の拡大状態になることができるように設計されていることを特徴とする上記請求項のいずれか一つに記載のインプラント。
【請求項１０】
前記基体（１２，３２）が、
脈管に面する側に、少なくとも一定の領域に、コーティング（２４）及び／または
一つ又は複数のくぼみ（２６）及び／または
一つ又は複数の中空体（２８）、
を有し、
その中に活性物質（２２）を含むことを特徴とする上記請求項のいずれか一つに記載のインプラント。
【請求項１１】
前記基体（１２，３２，４２）が、管状、シリンダー状，球状又は網状であることを特徴とする請求項１に記載のインプラント。
【請求項１２】
局部的薬物送達（ＲＤＤ）のための請求項１から１１のいずれか一つに記載のインプラントの適用。
【請求項１３】
腫瘍治療のための請求項１から１１のいずれか一つに記載のインプラントの適用。
【発明の詳細な説明】
【技術分野】
【０００１】
本発明は、体液が流れる脈管中に活性物質を放出するためのインプラント及びこのようなインプラントの適用に関係する。
【背景技術】
【０００２】
何世紀もの間、人は、医療用の活性物質の標的投与により病的過程及び状態の治癒を促進し、そして疾患に伴う症状の軽減を試みてきた。適切な活性物質の選択と探索の他に、残されている問題の１つは、治療を必要とする部位において活性物質を利用できるようにすることである。投与に伴う副作用を最小限にするために、可能であれば、活性物質の放出はもっぱら治療部位に限定されるべきである。さらに、殆どの場合に、効果を最適にするために、可能な限り正確に投与量を維持すること、すなわち、予定の時間内で治療部位における活性物質の量を特定の範囲内に維持することが必要である。一般的には、活性物質は経口、皮下、静脈内又は直腸に適用される。医薬品の通常の全身投与は、特に局所的疾患、例えば腫瘍の場合には顕著な合併症を生じる。
【０００３】
そのために、この数年間、治療を受ける患者の体内に活性物質をより特異的に導入するための試みが盛んになっている。用語「局所薬物送達」（Ｌｏｃａｌ  Ｄｒｕｇ  Ｄｅｌｉｖｅｒｙ（ＬＤＤ））は、インプラントによる限定的（ｅｘｃｌｕｓｉｖｅｌｙ）局所治療、すなわち本質的にインプラントを直に取り囲む組織のみへの活性物質の溶出を記述するために設けられた。したがって、活性物質がその薬理作用を発揮する治療部位は埋め込み部位に直に接している。
【０００４】
したがって、ＬＤＤシステムのための重要な応用分野は、ステント、心臓ペースメーカー又は整形外科の人工関節などの永続的なインプラントの生体適合性の改善にある。特に、インプラントの存在や埋め込みによる合併症は減少させるか或いは避けなければならない。
【０００５】
上記のＬＤＤシステムと異なる活性物質の投与の背後にあり、本発明にも応用されている基本的コンセプトは、埋め込みの部位と治療の部位の間のより明瞭な空間的分離を提供することである。言い換えると、身体に導入された後に、インプラント上で放出された活性物質は直接（局所的に）作用せずに、インプラントから空間的に離れた組織の局部においてその作用を発揮する。用語「局部薬物送達」（Ｒｅｇｉｏｎａｌ  Ｄｒｕｇ  Ｄｅｌｉｖｅｒｙ）即ち簡略して言うとＲＤＤは、このタイプの局部的活性物質投与を記述するために以下で使用されるであろう。
【０００６】
或る症状、例えば局所に限定された腫瘍において、治療すべき組織の脈管系を介して活性物質を投与することができる。この目的のために、治療部位の下流にある血管の中にインプラントを導入する必要がある。これの従来技術のアプローチは、例えば、活性物質を含有する重合体のマトリックスを血管の中に注入することである。このマトリックスは、注射後直ちに血管壁に接着する丈夫なフィルムに変化するように設計される。活性物質を含有するフィルムは徐々に分解し、活性物質を放出する。しかし、問題の血管にピンポイントの注入を行うのは実際上非常に困難であり、例えば血栓などの形成によるその他の合併症を生じる可能性がある。最後に、投与量もフィルムの厚さに依存する、すなわち、実際に生じる放出特性を予測することは困難である。
【０００７】
したがって、本発明の本質的目的は、体液が流れる脈管内に活性物質を放出するためのインプラントを供給することである。
【０００８】
この目的は、請求項１に記載した特徴を持つインプラントにより達成される。体液が流れる脈管の中に活性成分を放出するためのインプラントは、放出される活性物質の基材として生分解性物質からなる基体を含み、その周囲を体液が内側及び／又は外側で循環することが特徴である。言い換えると、体液、特に血液はその埋め込みの後に極力遮断されずにインプラントの中を又はその周囲を流れる。インプラントの基体は、流れ去る体液の中に少なくとも可能な限り溶出されそして下位の治療部位に分配される活性物質の基材となる。インプラントの基体は時間の経過とともに分解される。
【０００９】
したがって、このインプラントは理想的には局部的薬物分配（ＲＤＤ）の目的、特に腫瘍の治療に適する。このインプラントのこれらへの適用は別途請求される。
【００１０】
本発明の意図する範囲内において脈管とは、心臓と共に一つの機能単位を形成する末端流路の脈管を（広い意味ではリンパ管も）含む動脈及び静脈血管の全体のことである。本発明のインプラントは、脈管中を流れる体液中に活性物質を放出するように設計されている。したがって、活性物質は放出部位からさらに下流に存在する実際の作用部位へ供給される。したがって、インプラントは、活性物質、好ましくは使用した活性物質の少なくとも８０重量％が脈管の中に放出されそして体液により運ばれるように設計されなければならない。血管壁の方向への放出は避けなければならない。したがって本発明では、埋め込みの後血管壁と接している領域は、活性物質の基材（ｓｕｂｓｔｒａｔｅｓ）とならないことが好ましい。例えば、インプラントが埋め込み後に脈管上にその外壁で支えられている管状形状である場合に、活性物質はその外壁と接触しない。
【００１１】
本発明の意味の範囲内の基体とは、生分解が始まるまではインプラントの機械的一体性を維持し、そして放出される活性物質の基材（ｓｕｂｓｔｒａｔｅｓ）となるか又は活性物質を含有するマトリックスとなるインプラントの構造物であると理解される。
【００１２】
体液が基体の中を流れるのみであるならば、両端の開いた管状基体として設計されることが好ましく、その基体は（埋め込まれたときに）その外側が血管壁に接している。血管の断面に合わせた形とするので、体液の乱れは大きく抑制されるか、或いは少なくとも減少させられるので、これらの種類のインプラントは体液の大容量が流れる脈管に特に適している。
【００１３】
本発明のインプラントの第２の態様では、体液は基体の中又は周囲を通ってその内側と外側の両方を流れる。この目的のために、基体は流れの方向に入り口と出口が一列に並んだ中空の物体として設計することができる。埋め込みの直後又は短時間後に体液と接触するこの中空の物体は、特に、管状、シリンダー状又は球状のデザインにすることができる。インプラントの体内における相対的位置を確保するために、基体から血管壁へ伸び、支持体として寄与する、少なくとも大部分が生分解性である固定部が備え付けられる。
【００１４】
固定部は、例えば、ジグザグ形、フック又はうろこ様の外形を有することができる。固定部は、少なくとも活性物質の９０重量％、特に９５％重量％が放出される期間中インプラントが固定されていることを保証するように設計されなければならない。固定部の使用によりインプラントと血管壁の間の接触面積は減るので、内皮化の可能性のある領域も限定される。固定部の具体的設計は、なかんずく、埋め込み部位の流れの状態、活性物質の放出動態及び基体の分解特性に依存するので、インプラントは個別の応用に対してそれぞれ適合させられなければならない。この目的を達成するために、当業者は、基礎として、下記に関する一般的情報を利用することができるであろう。
‐  身体中の脈管の流動学、
‐  その処理及びコーティングを含む材料の修飾又は合金の選択の生分解性材料の分解動態に対する影響、及び
‐  その修飾又はマトリックス中への取り込みの関数としての活性物質の放出動態に対する影響。
【００１５】
製造上の理由から、固定部は同じ生分解性材料から作られていることが好ましく、基体に一体となって連結している。
【００１６】
本発明のインプラントの第３の態様は、体液が基体を通って流れるだけのものである。言い換えると、基体は、基体の外壁のみが体液と接触する閉鎖構造を呈する。基体は詰まったデザインであるか、又は中空の基体の中に存在する基体の内壁は生分解の結果としてのみアクセス可能となる。特に、網状、先端を切った形又は薄膜状の基本的パターンを持つ基体が考えられる。これらの態様におけるインプラントの基体もまた上記の固定部によって脈管内に固定することができる。
【００１７】
上記の閉鎖構造の好ましい態様は、基体が外側から内側へ多層構造を持つものである。放出される活性物質はそれぞれの層の間に存在する。身体の中で外側の層は最初に分解され、そしてその下の活性物質が放出される。次いで次の層が分解され、その層の下の活性物質が放出され、これが繰り返される。
【００１８】
本発明の好ましい設計により、インプラントの基体は、少なくとも部分的に生分解性のマグネシウム、鉄又はタングステン合金から成る。これらの合金において、言及した元素は合金の少なくとも５０重量％、特に７０重量％、特に好ましくは８０重量％の比率を示す。また特に好ましいのは、合金に希土類金属及びイットリウムが含有されているタイプＷＥ、特にＷＥ４３のマグネシウム合金である。言及した合金は技術的に充分処理することができ、本発明のインプラントを実現するための理想的機械的材料特性を持ち、そして生体内において好ましい分解動態を示す。さらに、特にマグネシウム合金の場合に、基体の生分解の間に良い生理的効果が周囲の組織に生じるように思われる。
【００１９】
さらに、予想されるその高い生体適合性の故に、１及び３０重量％のリチウムを含有するマグネシウム合金は好ましい。また、処理性、機械的及び分解性に関係する性質の故に、０．１重量％から１０重量％のアルミニウムを含有するマグネシウム合金及び０．０１重量％から２重量％のジルコニウムを含有するマグネシウム合金も好ましい。言及したマグネシウム合金の構成成分−つまり、希土類金属（Ｅ）、イットリウム（Ｗ）、リチウム（Ｌ）、アルミニウム（Ａ）及びジルコニウム（Ｋ）−はいずれかの組み合わせで合金の部分を形成することができ、合金構成成分の標準化された略号はＡＳＴＭにしたがってカッコ内に示されている。例えば、以下のタイプの合金組成を使用することができる：ＬＷＥ，ＡＬ，ＬＡＥ及びＬＥ、この文字の配列は使用される合金組成にしたがって入れ替えることができる。したがって、マグネシウム合金は、好ましくは希土類金属、イットリウム、リチウム、アルミニウム及びジルコニウムのグループの１又はそれ以上の合金成分を含有する。
【００２０】
またインプラントの基体は、好ましくは第１の膨張しない状態及び第２の膨張した状態をとることができるように設計される。このような構造を実現するために、先行技術の多数のステントのデザインが助けとなるが、本発明のインプラントにおけるこの態様では、血管壁に対する支持機能を示す必要はないし、或いは示してはならないことは特記する必要がある。インプラントが脈管内に固定されていること、すなわち体液の一定の流れにより運ばれて行かないことが保証されていることだけが必要である。したがって、設計の点で、支持機能を持つインプラントの場合よりも自由度がより大きい。例えば、活性物質が基体を覆うコーティングの一部を形成している場合には、体液に面している基体の部分領域は可能な限り大きな面積を持つように設計され、活性物質により覆われなければならない。内皮化、すなわち、インプラントの食い込みは、活性物質の溶出が障害されないことを前提として、許容することができる。必要があれば、相互に作用する物質は、例えば、インプラントの薄膜上の一定の表面構造により、又は内皮化過程によるコーティングにより影響を弱めなければならない。
【００２１】
好ましくは、その中を体液が流れる脈管の中に活性物質を放出するための本発明のインプラントは次のように設計される：
‐  基体は、脈管に面する側の少なくとも一定の領域に、活性物質を含有するコーティングを有する、
‐  基体は、活性物質を含有する一つ又はそれ以上の空所（ｃａｂｉｔｙ）を有する、及び／又は
‐  基体は、活性成分を含有する一つ又はそれ以上の中空体を有する。
【００２２】
したがって、第１の変形例は、基体が少なくとも部分的に活性成分でコートされているものである。ここで、コーティングは、活性物質そのもののみならず活性物質を含有する生分解性マトリックスからなるものでもよい。例えば、ヒアルロン酸又はその誘導体のマトリックス中に埋め込まれた活性物質が想定される。マトリックスの選択のみならず活性物質の投与の形態も、活性物質のインビボ放出動態に大きく影響する。高度な変動要因が放出動態に影響するので、放出動態は特定のシステムに対してのみ最適化することができる。好ましくは、コーティングの場所は、活性物質が脈管の中を流れる体液中に充分に放出され、隣接する血管壁の方向には放出されないように予め決定されていなければならないことも記述しなければならない。
【００２３】
第２の変形例に従うと、活性物質を含有する空所を基体に組み込むことができる。本発明の意図する範囲において空所（ｃａｂｉｔｙ）とは、インプラントの基体の中のくぼみ（ｒｅｃｅｓｓｅｓ）、割れ目（ｇａｐｓ）又はドリルで開けた穴のことであり、これは基体によって完全に閉鎖されていない、すなわち、少なくとも一方の側から接近することができる。活性物質は純粋な形で存在するか、又は空所側のマトリックス中に取り込まれている。このような空所の作成は、例えばステントの分野において充分に知られており、例えばレーザー処理により行うことができる。体液がその中又は周囲を流れる本発明のインプラントが、単にくぼみから活性物質を徐々に放出させることを述べるに過ぎない。この過程は、基体の分解が進行するにしたがって加速される。コーティングよりも遅い放出が一般的に期待される。
【００２４】
最後に、本発明のインプラントのその他の変形例は、基体が活性物質を導入された中空体を１個又はそれ以上を含んでいるものである。ここでまた、活性物質は純粋な物質として存在するか又はマトリックスの中に埋め込まれている。キャビティ（ｃａｖｉｔｉｅｓ）は、基体によって完全に閉鎖され、その中に活性成分が予め導入されている空間である。活性物質は基体が徐々に分解することによってのみ利用可能となり流れ去る体液の中に溶解することができる。したがって、この変形例では一般的に、既に記述したいずれの種類に比較しても最も遅い活性物質の放出を示す。例えば、考えられる変形例では、活性物質を充填した中空ワイヤーで形成された基体が提供される。
【００２５】
個別の活性物質の放出プロフィールに影響するために、或いは予定する時系列において異なる活性物質の放出を制御するために、前記の３種類の全てをいずれかの方法で組み合わせることができる。
【００２６】
このインプラントは、先行技術に基づくインプラントシステムが有する問題を伴うことなく、その中を体液が流れる脈管の中に導入することができる。インプラントをバルーンカテーテルシステムのバルーン上に取り付けるようにすることができる。次いで、カテーテルは既知方法によって埋め込み部位までガイドされる。インプラントを支えるバルーンは膨張され、インプラントは所定の位置におかれる。バルーンを収縮させた後、カテーテルを抜き取り、そしてインプラントは分解するまで所望の固定位置に残る。本発明のインプラントを導入する目的のために、インプラントが基材システム上に３分の１、収縮した状態を作ることができることが有利であろう。
【００２７】
これに対する代替埋め込みシステムは、複数の、好ましくは３又は４の延長されたニチノールワイヤーから成り、それは局所の熱の影響の下に膨張する。その膨張によりインプラントを埋め込み部位に固定することができるように、ニチノールワイヤーはインプラントに対して配置される。したがって、この埋め込みシステムは、理想的には上記の固定部を組み込んだインプラントに適している。
【００２８】
本発明は、以下に代表的な実施例及び関連する図面を参照して詳細に説明される。
【００２９】
図１ａ〜１ｃは、その中を体液が流れる脈管の中に活性物質を放出するための本発明のインプラントの模式図を示す。
【００３０】
図２ａ〜２ｃは、異なる態様における図１ａ，１ｂ又は１ｃのインプラントの部分領域の断面図を示す。
【００３１】
図１ａ〜１ｃは、その中を体液が流れる脈管の中に活性物質を放出するために適するインプラント１０，３０，４０を、模式図で示す。
【００３２】
図１ａは、本発明による第１の態様のインプラント１０を示す。インプラント１０は管状基体１２から成り、その両側１４及び１６は開いており、その中を体液が流れることができる。インプラント１０の基体１２を通って流れる体液、特に血液の流れの方向は二つの矢印１８，２０により示されている。
【００３３】
図１ｂは、第２の態様の好適なインプラント３０を示す。基体３２は中空体として設計されているが、インプラント３０が固定される脈管に輪郭を合わせていない。流れの方向は、再度矢印１８，２０により示され、基体は入り口と出口３４，３６を持っている。図１ａに示された態様と異なり、体液は基体３２の中又は周囲を通って内側と外側の両方を流れる。身体の中のインプラント３２の相対位置を保証するために、固定部３８が基体上に配置されており、その固定部は埋め込み後血管壁に支持され、その形状により確実に留まることを保証する。固定部３８はこの特殊例ではジグザグデザインであるが、他の形状を取ることもできる。さらに、固定部３８は、少なくともできうる限り、生分解性材料からなる。固定部３８は、少なくとも活性物質の９０重量％、好ましくは９５重量％の放出期間中インプラント３０の固定が保証されるように設計される。固定部の特別な設計は、なかんずく、埋め込み部位の流れの状態、活性成分の放出動態及び基体３２の分解特性に依存するので、インプラント３０は個別の応用に合わせてそれぞれ適合させなければならない。製造上の理由から、固定部３８は好ましくは基体３２と同じ生分解性材料から作られ、それと一体的に連結されている。
【００３４】
図１ｃは、本発明の第３の態様のインプラント４０を図で示す。この態様では、基体４２は閉鎖構造として設計されており、すなわち、埋め込み直後は基体の外壁のみが体液と接触する。示された基体４２は、網状構造であり、固定部４８によって脈管に固定されている。網の個々の糸の間に形成される隙間５０は、活性物質を含有するフィルム様のマトリックスによって橋渡しされている（ｓｐａｎｎｅｄ）。このマトリックスは、例えば、網状の基体４２をマトリックスを含有する溶液に漬け、次いで湿った基体４２を乾燥することにより適用することができる。基体４２、並びにマトリックスは生分解性マトリックスから形成されている。
【００３５】
図１ａ，１ｂ及び１ｃにおける基体１２，３２，４２は、体液中に放出される一つの、必要があれば複数の活性物質の基材（ｓｕｂｓｔｒａｔｅ）として寄与する。活性成分の放出中又は少なくともその後基体１２，３２，４２は可及的に完全に分解する、すなわち、少なくとも可能な限りそれは生分解性材料からなる。
【００３６】
特に元素マグネシウム、鉄及びタングステンの合金は、基体１２，３２，４２のための生分解性材料と考えられる。この場合に、述べた元素それぞれは、少なくとも６０重量％、好ましくは７０重量％超、特に好ましくは８０重量％超の合金中の含有率を有する。特に好ましいのはマグネシウム合金であり、これは希土類金属及びイットリウムを含有し、通常タイプＷＥの合金と呼ばれている。この中で材料ＷＥＷ４３は特に適することが立証された、すなわち、活性物質の生分解性は制御された様式で起こり、分解中に放出される分解生成物は毒作用が無いかあっても少なく、そして活性物質を処理する場合に、マグネシウム合金の通常の工作技術を使用することができる。
【００３７】
さらに、高い生体適合性が期待されるため、１及び３０重量％のリチウムを含有するマグネシウム合金が好ましい。また、操作性、機械的及び分解性に関する特性故に、０．１〜１０重量％のアルミニウムを含有するマグネシウム合金及び０．０１〜２重量％のジルコニウムを含有するマグネシウム合金も好ましい。上記のマグネシウム合金の構成成分、つまり、希土類金属（Ｅ）、イットリウム（Ｗ）、リチウム（Ｌ）、アルミニウム（Ａ）及びジルコニウム（Ｋ）−はいずれかの組み合わせで合金の部分を形成することができ、合金構成成分の標準化された略号はＡＳＴＭにしたがってカッコ内に示されている。例えば、以下のタイプの合金組成を使用することができる：ＬＷＥ，ＡＬ，ＬＡＥ及びＬＥ、この文字の配列は使用される合金組成にしたがって入れ替えることができる。
【００３８】
インプラント１０の基体１２は、図１ａには構造的にあまり詳細には示されていない。しかし、通常基体１２は完全に隙間のないチューブとして存在するのではなく、むしろ多様な支柱又はワイヤー様の構造部品から成り立っている。そのような構造は、これにより埋め込みの部位へのインプラントの導入を非常に容易にするので、特に好ましい。したがって、構造部品が適切に設計されるならば、基体１２は、最初は直径の小さい非拡大状態を取ることができ、そして埋め込みの部位において拡大した後、第２の拡大した状態になることができる。インプラント１０の非拡大状態において、埋め込みの部位までのインプラントの導入はかなり容易になると考えられる。この目的のために、カテーテルシステムのバルーン上にインプラント１０を取り付けるようにすることができる。次いで、類似のシステムにおける拡張ステントの場合と同様に、バルーンカテーテルを身体の中に導入し、そして目的の位置でバルーンを膨らませることによりインプラント１０を拡大する。インプラント１０を導入する目的のために、基体システム上に３分の１、収縮した状態にすることができることがインプラント１０にとって有利である。さらに、機械的に引っ張る又は押す装置により、又は熱変形により作動する埋め込みシステムを使用することができる。例えば、局所的熱の影響により拡大する延長したニチノールワイヤーの３又は４を準備することができる。ニチノールワイヤーは、このワイヤーの拡大のために埋め込み部位にインプラントが固定させられるように、インプラントに対して配置される。したがって、この埋め込みシステムは上記固定部３８、４８を組み込んだインプラントに理想的に適している。
【００３９】
原理的には、図１ａによる基体１２を形成するインプラント１０の構造部品の設計は、先行技術のステント設計に基づくことができる。しかし、インプラント１０は支持機能を発揮する必要がないことを言明しなければならない、すなわち、ステントは血管損傷を防ぐために非常に柔らかい設計でなければならない。設計は脈管中に固定するのに役立ち、体液によってインプラント１０が運ばれるのを防がなければならない。例えば血管壁と接触しているインプラント１０上のいくつかの場所における表面変化又は抗増殖物質を有するコーティングの適用による、インプラント１０の血管壁への伸展という事実により、活性物質の溶出が妨害されてはならない。
【００４０】
図２ａから２ｃは、その中で基体１２，３２，４２が活性物質２２の基材又は活性物質２２を含有するマトリックスとして作用する領域における図１ａから１ｃに示されたインプラント１０，３０，４０の断面を極めて模式的に示す。簡潔に述べるために、参照は以下においては図１ａに示されたインプラント１０の種類についてのみ示される。しかし、示された寸法は、異なる形状の他のインプラントに困難なく変換することができる。
【００４１】
図２ａにおいて、活性物質２２はコーティング２４として基体１２に適用される。論理的にコーティング２４は管状基体１２の内側にあるので、流れる体液は活性物質２２と接触することができ、下位の組織領域の中へ溶解した形態で活性物質を溶出することができる。活性物質２２は、基体１２に、純粋な形態で例えば、微結晶又は無定形物として接着することができる。しかし、基体１２へのより良い接着を促進するために及び／又は活性物質２２の放出に影響するために、例えばマトリックスに埋め込まれた活性物質２２も想定される。例えば、ヒアルロン酸及びその誘導体のような生分解性ポリマーはマトリックスとして考慮することができる。
【００４２】
図２ｂに示された第２の態様では、インプラント１０の基体１２へ空所２６が導入され、その中へ活性物質２２又は活性物質２２を含有するマトリックスが充填される。このような空所２６は、例えば、先行技術のレーザー操作により作ることができる。空所２６は割れ目、穴又はその他の幾何学的形状により達成できる。活性物質２２は、例えば活性物質２２を含有する溶液の中に浸し、溶液を乾燥し、空所２６の外にある活性物質の堆積を吹き飛ばすことにより空所２６の中に導入することができる。流れ去る体液のために活性物質２２は空所２６から徐々に流れ出る。同時に、この過程は基体１２が徐々に分解することにより強制的に行われる。
【００４３】
最後に、図２ｃに示された第３の態様のインプラント１０では、基体１２はその中に活性物質２２が導入される中空の空間２８を持っている。基体１２の体液に接する側が分解するだけでなく、活性物質２２は体液中へ溶出する。このようなシステムは、例えば、活性物質２２の溶液が毛管現象によって導入された中空ワイヤーを使用することにより実現することができる。
【００４４】
活性物質２２の放出能力を制御するために、記述した寸法を変更できることはおのずから明白である。一つの活性物質のみならず、複数の活性物質を互いに相対的に時間をずらして放出することも考えられる。この場合に、一つの又は複数の活性物質の放出は、基材特質の選択、基体上の活性物質の幾何学的位置（すなわち、コーティング、くぼみ又は中空空間）、活性物質を含有する可能性のあるマトリックスの性質及び埋め込みの部位における流動学的及び解剖学的条件に依存する。上記の本発明のインプラントの種類は、理想的には局部薬物送達（ＲＤＤ）の目的に適している。
【図１ａ】
2007520292.tif 000003
【図１ｂ】
2007520292.tif 000004
【図１ｃ】
2007520292.tif 000005
【図２ａ】
2007520292.tif 000006
【図２ｂ】
2007520292.tif 000007
【図２ｃ】
2007520292.tif 000008
【国際調査報告】
2007520292.tif 000009
2007520292.tif 000010
2007520292.tif 000011
2007520292.tif 000012
2007520292.tif 000013
2007520292.tif 000014
2007520292.tif 000015